(57)【特許請求の範囲】
【請求項１】
表面に同軸ケーブルの挿着部を有する電子機器ケースであって、該挿着部は、ケースの壁面に直交するように設けて前記同軸ケーブルの挿入側を広く開口させてテーパ状にした孔を有する筒形状のコネクタ本体と、
リング形状の枠体を有し、該枠体から枠体の中心へ向けて複数の爪部を突設し、前記コネクタ本体の中間部に該コネクタ本体と同一中心軸を有するよう内設した抜け止め具と、
該抜け止め具を前記コネクタ本体に固定する筒形状の固定具とを有し、
前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、
前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止することを特徴とする電子機器ケース。
【請求項２】
コネクタ本体をケース内部に収納したことを特徴とする請求項１記載の電子機器ケース。
【請求項３】
表面に同軸ケーブルの挿着部を有する電子機器ケースであって、該挿着部は、ケースと別体に形成して前記同軸ケーブルの挿入側を広く開口させてテーパ状にした孔を有する筒形状のコネクタ本体と、
リング形状の枠体を有し、該枠体から枠体の中心へ向けて複数の爪部を突設し、前記コネクタ本体の中間部に該コネクタ本体と同一中心軸を有するよう内設した抜け止め具と、
該抜け止め具を前記コネクタ本体に固定する筒形状の固定具とを有し、
前記コネクタ本体を前記ケースに固定する固定手段によって該ケースの壁面に直交するように装着し、
前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、
前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止することを特徴とする電子機器ケース。
【請求項４】
コネクタ本体とケースの間に装着させた防水座と、
同軸ケーブルに外挿し挿着部を覆う防水キャップとを有し、
前記防水座に前記防水キャップを係止させて前記挿着部内及び前記コネクタ本体内への雨水の浸入を防止可能とする請求項３記載の電子機器ケース。
【請求項５】
別体の樹脂製箱体に電子機器ケースを収納してなることを特徴とする請求項１乃至４記載の電子機器ケース。
【請求項６】
筒形状導体からなる連結具本体の両端部に同軸ケーブルの挿着部を一体に備え、該挿着部に挿着された同軸ケーブル相互の芯線を連結する芯線コネクタを前記連結具本体の中央部に内設した同軸ケーブル連結具であって、
前記挿着部は、前記同軸ケーブルの挿入側を広く開口させてテーパ状にした孔を有する筒形状のコネクタ本体と、
リング形状の枠体を有し、該枠体から枠体の中心へ向けて複数の爪部を突設し、前記コネクタ本体の中間部に該コネクタ本体と同一中心軸を有するよう内設した抜け止め具と、
該抜け止め具を前記コネクタ本体に固定する筒形状の固定具とを有し、
前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、
前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止することを特徴とする同軸ケーブル連結具。
【請求項７】
同軸ケーブルの端部に装着する挿着部を備えた同軸ケーブルコネクタであって、
該挿着部は、前記同軸ケーブルの挿入側を広く開口させてテーパ状にした孔を有する筒形状のコネクタ本体と、
リング形状の枠体を有し、該枠体から枠体の中心へ向けて複数の爪部を突設し、前記コネクタ本体の中間部にコネクタ本体と同一中心軸を有するよう内設した抜け止め具と、
該抜け止め具を前記コネクタ本体に固定する筒形状の固定具と、
前記コネクタ本体の他端部に枢着すると共に接続対象の外部導体に螺合するよう形成した接続筒とを具備し、
前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、
前記同軸ケーブルの外部導体を保護被覆の外側に所定の長さをもって折り返し、前記固定具を介して前記孔から前記コネクタ本体に挿入された前記同軸ケーブルの外部導体の折り返し部分に前記爪部の先端を食い込ませて前記同軸ケーブルを抜脱阻止することを特徴とする同軸ケーブルコネクタ。
【発明の詳細な説明】
【０００１】
【発明の属する技術分野】
本発明は、同軸ケーブルを伝送線路とする電子機器ケース、同軸ケーブルを連結する同軸ケーブル連結具、並びに、同軸ケーブルの端部に装着される同軸ケーブルコネクタに関する。
【０００２】
【従来の技術】
従来、伝送線路として同軸ケーブルを用いて電子機器間を接続する場合には、電子機器に配置したコネクタに適合するコネクタを同軸ケーブルの先端に装着して接続しており、その装着時には固定リング等の固定部材を用いて、同軸ケーブルに圧着して固定する必要があった。又、予めミニプラグを用いることにより圧着の手間を省き、作業の簡略化を図っていた。
【０００３】
【発明が解決しようとする課題】
しかし、ミニプラグを用いるにしてもケーブルプラグ側は端子との接続加工が必要であり、更にミニプラグによる方法では、簡単に外れてしまう可能性があり、信頼性が悪い。
【０００４】
そこで、本発明の課題は、同軸ケーブルを簡易に接続することができ、更に、信頼性の高い接続が可能な電子機器ケース、同軸ケーブル連結具及び同軸ケーブルコネクタを提供することにある。
【０００５】
【課題を解決するための手段】
前述の課題を解決するために、請求項１の発明は、表面に同軸ケーブルの挿着部を有する電子機器ケースであって、該挿着部は、ケースの壁面に直交するように設けて前記同軸ケーブルの挿入側を広く開口させてテーパ状にした孔を有する筒形状のコネクタ本体と、リング形状の枠体を有し、該枠体から枠体の中心へ向けて複数の爪部を突設し、前記コネクタ本体の中間部に該コネクタ本体と同一中心軸を有するよう内設した抜け止め具と、該抜け止め具を前記コネクタ本体に固定する筒形状の固定具とを有し、前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止するように構成される。
【０００６】
請求項２の発明は、請求項１の発明において、コネクタ本体をケース内部に収納して構成される。
【０００７】
請求項３の発明は、表面に同軸ケーブルの挿着部を有する電子機器ケースであって、該挿着部は、ケースと別体に形成して前記同軸ケーブルの挿入側を広く開口させてテーパ状にした孔を有する筒形状のコネクタ本体と、リング形状の枠体を有し、該枠体から枠体の中心へ向けて複数の爪部を突設し、前記コネクタ本体の中間部に該コネクタ本体と同一中心軸を有するよう内設した抜け止め具と、該抜け止め具を前記コネクタ本体に固定する筒形状の固定具とを有し、前記コネクタ本体を前記ケースに固定する固定手段によって該ケースの壁面に直交するように装着し、前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止するように構成される。
【０００８】
請求項４の発明は、請求項３の発明において、コネクタ本体とケースの間に装着させた防水座と、同軸ケーブルに外挿し挿着部を覆う防水キャップとを有し、前記防水座に前記防水キャップを係止させて前記挿着部内及び前記コネクタ本体内への雨水の浸入を防止可能として構成される。
【０００９】
請求項５の発明は、請求項１乃至４の発明において、別体の樹脂製箱体に電子機器ケースを収納して構成される。
【００１０】
請求項６の発明は、筒形状導体からなる連結具本体の両端部に同軸ケーブルの挿着部を一体に備え、該挿着部に挿着された同軸ケーブル相互の芯線を連結する芯線コネクタを前記連結具本体の中央部に内設した同軸ケーブル連結具であって、前記挿着部は、前記同軸ケーブルの挿入側を広く開口させてテーパ状にした孔を有する筒形状のコネクタ本体と、リング形状の枠体を有し、該枠体から枠体の中心へ向けて複数の爪部を突設し、前記コネクタ本体の中間部に該コネクタ本体と同一中心軸を有するよう内設した抜け止め具と、該抜け止め具を前記コネクタ本体に固定する筒形状の固定具とを有し、前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、前記同軸ケーブルの外部導体を保護被覆の外側に所定の長さをもって折り返し、前記固定具を介して前記孔から前記コネクタ本体に挿入された前記外部導体の折り返し部分に前記爪部の先端を食い込ませて前記同軸ケーブルを抜脱阻止するように構成される。
【００１１】
請求項７の発明は、同軸ケーブルの端部に装着する挿着部を備えた同軸ケーブルコネクタであって、該挿着部は、前記同軸ケーブルの挿入側を広く開口させてテーパ状にした孔を有する筒形状のコネクタ本体と、リング形状の枠体を有し、該枠体から枠体の中心へ向けて複数の爪部を突設し、前記コネクタ本体の中間部にコネクタ本体と同一中心軸を有するよう内設した抜け止め具と、該抜け止め具を前記コネクタ本体に固定する筒形状の固定具と、前記コネクタ本体の他端部に枢着すると共に接続対象の外部導体に螺合するよう形成した接続筒とを具備し、前記抜け止め具の爪部を、前記枠体から前記同軸ケーブルの挿入方向へ向けて傾斜させると共に、前記爪部の中央から該爪部の先端を前記枠体の内側へ折り返して、前記爪部の付け根の突設方向よりも該爪部の先端の突設方向が前記内側へ向くように形成し、前記同軸ケーブルの外部導体を保護被覆の外側に所定の長さをもって折り返し、前記固定具を介して前記孔から前記コネクタ本体に挿入された前記同軸ケーブルの外部導体の折り返し部分に前記爪部の先端を食い込ませて前記同軸ケーブルを抜脱阻止するように構成される。
【００１５】
【発明の実施の形態】
以下、本発明を具体化した実施の形態を、図面を基に詳細に説明する。尚、以下、各図中の同一の構成要素には同一の符号を付す。図１は、本発明に係る電子機器ケース（以下、単に「ケース」とする）の第１実施形態を示し、（ａ）は要部コネクタ部の分解断面図、（ｂ）は同軸ケーブル挿着時の部分断面図、（ｃ）は後述する抜け止め具の正面図である。まず、図１（ａ）において、本実施形態の構成を説明する。ケース１００は、その壁面と一体に直交するように突設形成した筒形状のコネクタ本体１１、リング形状の導電性弾性材からなる抜け止め具１２、及び、抜け止め具１２をコネクタ本体１１の中間部１１ｃに内設固定する筒形状の絶縁性弾性材で形成された固定具１３からなる挿着部１０を備えて構成される。
【００１６】
又、同軸ケーブル８０の内部絶縁体８２はコネクタ本体１１内の貫通孔１１ｆの筒長さに合わせ、又、中心導体８１はケース１００内の回路基板１０２に配置した端子１０３と接触する長さに合わせ、そして、外部導体８３は保護被覆８４のさらに外側に所要の長さをもって折り返して、予め同軸ケーブル８０の端部を段剥き処理してある。図１（ｃ）に示すように、同軸ケーブル８０を挿着部１０に挿着する前、抜け止め具１２の爪部１２ｂは、リング形状の枠体１２ａの内側の６等分した夫々の位置から中心方向へ向けて突設した形状をしている。又、爪部１２ｂはバネ性を備えた導体で枠体１２ａと一体形成されている。そして、コネクタ本体１１の接触部１１ｄ、抜け止め具１２の枠体１２ａ及び固定具１３の内径は、段剥き処理した同軸ケーブル８０端部の折り返した外部導体８３と外側から十分に密着し締めつけることができるような径に形成してある。
【００１７】
次に、挿着部１０への同軸ケーブル８０の挿着について説明する。まず、抜け止め具１２を、コネクタ本体１１の挿入孔１１ａから押し入れ、両者の中心軸を一致させて中間部１１ｃに配置した後、コネクタ本体１１の係止溝１１ｂに固定具１３の係止突起１３ａを係合させることにより、抜け止め具１２をコネクタ本体１１の中間部１１ｃで接触導通させながら固定し内設する。そして、同軸ケーブル８０の段剥き処理した端部を固定具１３から挿入し、径の異なる接触部１１ｄと貫通孔１１ｆとの段差面１１ｅが同軸ケーブル８０の挿入を止めることにより、図１（ｂ）に示すように、ケース１００の挿着部１０への同軸ケーブル８０の挿着が完了する。
【００１８】
この時、折り返した外部導体８３の外側は、爪部１２ｂを挿入方向へ折り曲げながら爪部１２ｂ及び枠体１２ａの内側と接触すると共に、コネクタ本体１１の接触部１１ｄとも接触して、ケース１００と導通する。又、中心導体８１は回路基板１０２上に配置した端子１０３に挟み込まれ接触導通し、回路基板１０２上に配置された内部回路と接続される。
【００１９】
以上詳述したように、ケース１００への同軸ケーブル８０の挿着完了時、挿着部１０に内設した抜け止め具１２の挿入方向へ折れ曲がった爪部１２ｂは、接触している同軸ケーブル８０の外部導体８３に食い込み、抜出方向への同軸ケーブル８０の移動を阻止する抜け止め作用を発揮し、抜け止め具１２は固定具１３によりコネクタ本体１１に固定されているため、同軸ケーブル８０が挿着部１０から抜けることが無くなる。よって、端部の段剥き処理をした同軸ケーブル８０を挿着部１０へ挿着する操作だけで電気的な接続を完了させることができ、同軸ケーブル８０との接続の簡易な、更に、抜脱し難い信頼性の高い接続が可能なケースを得る事ができる。
【００２０】
尚、抜け止め具１２の枠体１２ａに設けた爪部１２ｂは、前述の抜け止め作用を維持可能な本数であれば６本に限らず、又、その先端が枠体１２ａの中心方向に突設してあれば、枠体を含む同一の面上になくても良い。又、コネクタ本体１１内に設けられた各筒部の形状は、同軸ケーブル８０の挿入側を広く開口させたテーパ状に形成しても良く、こうすれば、挿着部１０に同軸ケーブル８０をより挿入し易くできる。
【００２１】
次に、本発明に係るケースの第２実施形態を図２を基に説明する。図２（ａ）はケース２００の挿着部２０に同軸ケーブル８０を挿着した時の要部断面図である。図に示すように、ケース２００は、ケース２００内側に突設して、ケース２００内部に収納したコネクタ本体２１、リング形状の導電性弾性材からなる抜け止め具１２、及び、抜け止め具１２をコネクタ本体２１に内設固定する筒形状の絶縁性弾性材で形成された固定具１３からなる挿着部２０を備えて構成される。又、同軸ケーブル８０のケース２００への挿着に関し、コネクタ本体２１内の形状、抜け止め具１２及び固定具１３は、図１に示した同軸ケーブル８０のケース１００への挿着と同一の作用を発揮する同一の構成要素で構成してある。
【００２２】
よって、本実施形態によれば、同軸ケーブル８０との接続が簡易になり、抜脱し難いことに加え、ケース２００壁面から同軸ケーブル８０以外の構成部がはみ出すことがなく、挿着のための作業空間も広く確保できるから、狭い場所での同軸ケーブル８０の接続作業が容易になる。例えば、図２（ｂ）に示した、ケース２００の具体的な実施例である集合住宅等の各戸に設置される直列ユニット２０１のように、壁内等の限られた空間での同軸ケーブル８０の接続作業に有効である。
【００２３】
次に、本発明に係るケースの第３実施形態を図３を基に説明する。図３はケース３００の挿着部３０に同軸ケーブル８０を挿着した時の部分断面図である。図に示すように、ケース３００と別体にその壁面と直交するように突設形成したコネクタ本体３１、リング形状の導電性弾性材からなる抜け止め具１２、及び、抜け止め具１２をコネクタ本体３１に内設固定する筒形状の絶縁性弾性材からなる固定具１３から挿着部３０は構成される。そして、ケース３００の壁面の挿着部３０突設位置に切ったバーリング加工によるメネジ孔３００ａと、コネクタ本体３１のケース側である基端部に切ったオネジ部３１ｇとを螺着するという固定手段により、ケース３００の壁面にそれと直交するように挿着部３０を突設する。又、同軸ケーブル８０のケース３００への挿着に関し、コネクタ本体３１内の形状、抜け止め具１２及び固定具１３は、図１に示した同軸ケーブル８０のケース１００への挿着と同一の作用を発揮する同一の構成要素で構成してある。
【００２４】
よって、本実施形態によれば、同軸ケーブル８０との接続が簡易になり、抜脱し難いことに加え、このような固定手段を用いて、挿着部３０をケース３００と別体に取付取外し自在に設けることにより、自由な取付取外しのできる多数の挿着部を予め配置したケースの設計により、入出力信号数の異なる複数種類の電子機器に対し、最適な挿着部数を備えた、不要な未使用挿着部の無いデザイン性の優れたケースを簡単に製作可能となり、各別のケース設計の手間が省け、製造コストを削減することができる。尚、固定手段は取付取外し自在であればネジ止めに限らず適応可能である。
【００２５】
次に、本発明に係るケースの第４実施形態を図４を基に説明する。図４はケース４００の挿着部４０に同軸ケーブル８０を挿着し、防水座９１をコネクタ本体４１とケース４００の間に装着させ、防水キャップ９２とで挿着部４０を覆うことによりケース４００内及びコネクタ本体４１内への雨水等の浸入を防止可能としたケース４００の部分断面図である。図に示すように、挿着部４０のコネクタ本体４１は、図３に示したコネクタ本体３１と同様の固定手段で取付取外し自在に、ケース４００とは別体に設けられ、コネクタ本体４１のケース４００との境界部には全周に亘って一条の溝４１ｈが刻設されている。防水座９１は、絶縁性を有する樹脂材からなり、コネクタ本体４１の溝４１ｈが嵌る挿入孔を中心に設けた円盤形で形成され、ケース４００にコネクタ本体４１を螺合する際、ケース４００の壁面とコネクタ本体４１の溝４１ｈとにより挟持され装着される。
【００２６】
又、防水キャップ９２は、絶縁性を有する弾性材からなる筒で形成され、一方の開口部全周に設けた係止部９２ａと、防水座９１に設けた防水壁９１ｂの外周縁部全周に形成した突起部９１ａとが係合し、他方の開口部が同軸ケーブル８０の保護被覆８４と密着するように、一方の開口部から他方の開口部へ徐変させながら絞り込ませてある。そして、同軸ケーブル８０のケース４００への挿着に関し、コネクタ本体４１内の形状、抜け止め具１２及び固定具１３は、図１に示した同軸ケーブル８０のケース１００への挿着と同一の作用を発揮する同一の構成要素で構成してある。
【００２７】
よって、本実施形態によれば、同軸ケーブル８０との接続が簡易になり、抜脱し難いことに加え、このように、防水座９１に防水キャップ９２を係止させることにより、挿着部４０を覆うと同時に、挿着部４０周辺のケース４００や同軸ケーブル８０との隙間を埋めたので、防水キャップ９２内部の気密を維持することが可能となり、挿着部４０内やコネクタ本体４１内への雨水等の浸入を防ぐことができる。
【００２８】
尚、防水座９１及び防水キャップ９２を金属材料で形成し、隣接部材との隙間部のみを樹脂製のリング等で封止しても良い。このようにすれば、外力に対する挿着部の剛性を高めることができ、防雨、防滴効果を維持すると共に耐候性を一層増すことが可能になる。そして、本ケース４００は屋外での使用に最適であり、例えば、屋外用の保安器、ブースタ等への使用が考えられる。
【００２９】
次に、本発明に係るケースの第５実施形態を図５を基に説明する。図５（ａ）は、図１に示したケース１００に同軸ケーブル８０を挿着し、それを樹脂製箱体５０で覆ったケース５００の外観斜視図である。図５（ａ）に示すように、ケース５００は、基材色が剥き出しのケース１００の表面や角部のバリ取り跡等を、自由な意匠の樹脂製箱体５０で覆い隠すことが可能となるから、電子機器ケースに施すデザインの自由度を高めることができる。さらに、例えば、図５（ｂ）に示すように、図１のケース１００を具体化した屋内用のブースタ１０１を、下面が開放された形状の防水性樹脂製箱体５１で覆えば、屋外環境での使用も可能となり耐候性のより高いブースタ５０１が実現できる。
【００３０】
次に、図６は、本発明に係る同軸ケーブル連結具（以下、単に「連結具」とする）の実施形態を示し、（ａ）は同軸ケーブル８０挿着時の部分断面図、（ｂ）は後述する芯線コネクタ６６と止め輪６７の断面図である。図６（ａ）に示すように、本連結具６００は、筒形状導体からなる連結具本体６５と一体にその両端部に挿着部６０を備えて外観を成し、連結具本体６５内の中間部６５ａには、芯線コネクタ６６が突起部６４と止め輪６７により固定され内設される。そして、挿着部６０は、連結具本体６５と一体にその両端部に形成した筒形状のコネクタ本体６１、リング形状の導電性弾性材からなる抜け止め具１２、及び、抜け止め具１２をコネクタ本体６１に内設固定する筒形状の絶縁性弾性材からなる固定具１３から構成される。
【００３１】
ここで、図６（ｂ）に示すように、芯線コネクタ６６は、絶縁材から成り、同軸ケーブル８０の中心導体８１が挿通する孔を両側面に有する筒形状の内蔵ケース６６ａと、その内部に導電材で形成した挟持具６６ｂを備えて形成される。又、同軸ケーブル８０の連結具６００への挿着に関し、コネクタ本体６１内の形状、抜け止め具１２及び固定具１３は、図１に示した同軸ケーブル８０のケース１００への挿着と同一の作用を発揮する同一の構成要素で構成してある。
【００３２】
そして、連結具６００は、その両端から、図１と同様に端部を所要の長さに段剥き処理した同軸ケーブル８０を挿着し、両中心導体８１は芯線コネクタ６６の各挿入側の挟持具６６ｂに嵌め込まれ導通し、両外部導体８３も連結具本体６５を介して導通し、同軸ケーブル８０の中継機能を果たすことができる。
【００３３】
このように、本発明に係る連結具６００によれば、端部の段剥き処理をした同軸ケーブル８０を両端の挿着部６０へ挿入する操作だけで機械的かつ電気的な接続を完了させることができ、同軸ケーブル８０の連結接続の簡易な、更に、抜脱し難い信頼性の高い連結接続が可能な連結具を得る事ができる。
【００３４】
次に、図７は、本発明に係る同軸ケーブルコネクタの実施形態を示し、（ａ）は分解断面図、（ｂ）は同軸ケーブル８０挿着時の部分断面図、（ｃ）は抜け止め具１２０の正面図である。図１（ａ）に示すように、本同軸ケーブルコネクタ７００は、端部に同軸ケーブル８０を挿着する挿着部７０と、挿着部７０の基端部に枢着される接続筒７２から構成される。又、挿着部７０は、筒形状導体からなるコネクタ本体７１、リング形状の導電性弾性材からなる抜け止め具１２０、抜け止め具１２０をコネクタ本体７１に内設固定する筒形状の絶縁性弾性材からなる固定具１３で構成される。
【００３５】
抜け止め具１２０の爪部１２０ｂは、図７（ｃ）に示すように、リング形状の枠体１２０ａと一体形成され、枠体１２０ａの内側の６等分した夫々の位置から同軸ケーブル８０の挿入方向へ向けて突設されている。爪部１２０ｂの略中央には、爪部の先端部１２０ｅを内側へ折り返す折り返し部１２０ｃを備えている。爪部１２０ｂの付け根部１２０ｄは、その突設方向が枠体面に対して突設角θ１をなし、爪部１２０ｂの先端部１２０ｅは、折り返し部１２０ｃから付け根部１２０ｄの突設角θ１より小さくなるように内側に折り返され、先端部１２０ｅの突設方向が枠体面に対して突設角θ２をなしている。尚、爪部１２０は、先端部１２０ｅの突設角θ２が付け根部１２０ｄの突設角θ１より小さくなるように内側へ向けて形成されていれば、折り返し部１２０ｃのない円弧形状やＪ形状等に形成しても良い。
【００３６】
接続筒７２は、導電材料で形成された筒状の外部導体であり、その筒状導体の一方開口端部を全周にわたって内側方向へ折り込んだ絞部７２ａと、コネクタ本体７１の基端溝７１ｉとが互いにかみ合った状態で接触導通させながら中心軸を一致させて枢着される。又、接続筒７２の内面には、通常用いられるピッチのねじ山が設けられており、接続対象と螺合される。尚、接続筒７２の外周面には六角ナット部７３を設けるだけでなく、滑り止めとしてローレット掛けを施したり、形状を小判形等としても良い。
【００３７】
ここで、コネクタ本体７１内部の形状及び固定具１３は、図１に示した同軸ケーブル８０のケース１００への挿着と同一の作用を発揮する同一の構成要素で構成してある。
【００３８】
そして、図７（ｂ）に示すように、同軸ケーブルコネクタ７００は、図１と同様に端部を所要の長さに段剥き処理した同軸ケーブル８０の端部を固定具１３から挿着し、中心導体８１はそのまま、本実施形態のコネクタの中心導体として使用され接続対象の中心導体と導通し、外部導体８３も抜け止め具コネクタ本体７１及び接続筒７２を介して接続対象の外部導体と導通し、同軸ケーブル８０のコネクタとしての機能を果たすことができる。
【００３９】
尚、同軸ケーブル８０の中心導体８１には、別体のコンタクトピンを被せて接触導通させ中心導体として使用しても良く、この場合には、同軸ケーブル８０で通常中心導体として使用される軟鋼単線よりも折れ曲がりにくい芯線材料を用いることができるので、接続対象との繰り返し挿抜に対する耐久性をより高めることができる。又、図７には同軸ケーブルコネクタとしてＦ型（ＥＩＡＪ規格）を示したが、本発明の趣旨を逸脱しない範囲で各部の形状並びに構成を適宜に変更し、ＦＴ型，Ｍ型，Ｎ型等に実施することも可能である。さらに、本同軸ケーブルコネクタ７００の抜け止め具１２０は、前述した電子機器ケース１００，２００，３００，４００，５００及び連結具６００の抜け止め具１２の代替部材として用いることができる。
【００４０】
このように、本発明に係る同軸ケーブルコネクタによれば、端部の段剥き処理をした同軸ケーブル８０を挿着部７０へ挿入する操作だけで機械的かつ電気的な接続を完了させることができ、同軸ケーブル８０の挿着の簡易な、かつ、抜脱し難い信頼性の高い同軸ケーブルコネクタを得る事ができる。また抜け止め具１２０の爪部１２０ｂを予め同軸ケーブルの挿入方向へ向けて折り曲げ形成したので、爪部１２０ｂによる同軸ケーブル８０の挿入阻止力を弱めるだけでなく、爪部１２０ｂを挿入案内部材として機能させることができ、挿着操作をより容易に行うことができる。
【００４１】
さらに、本同軸ケーブルコネクタ７００は、抜け止め具１２０の爪部１２０ｂに先端部１２０ｅを折り返し部１２０ｃから内側へ折り返したので、段剥き処理した外部導体８３に対する爪部先端の食い込み角を大きくすることができ、より強い抜け止め力を得ることができる。また、挿着部７０の筒内面と間に隙間が生じるような小径の同軸ケーブルに対しても、内側に折り返した爪部先端が食い込み可能な線径であれば所要の抜け止め力を得ることができ、１つの同軸ケーブルコネクタにより、線径の異なる複数種類の同軸ケーブルとの信頼性の高い接続が可能である。
【００４２】
例えば、一般的に同軸ケーブルは、３Ｃ（外部導体の内径３ｍｍ、特性インピーダンス７５Ω）、５Ｃ或いは７Ｃ等のように同一サイズで大きく分類されるが、さらに使用用途に対応した伝送特性により、５Ｃ−２Ｖ、５Ｃ−ＦＶ等のように、複数種類に分類されている。このような伝送特性により分類された夫々の同軸ケーブルにおいては、内部絶縁体や外部導体の厚み或いは部材構成が異なるため、同一サイズに分類されていても、保護被覆の外径は異なることが多く、実際に前述の５Ｃ−２Ｖ及び５Ｃ−ＦＶの保護被覆は、夫々７．４ｍｍ及び７．７ｍｍと異なる外径となっている。本同軸ケーブルコネクタによれば、挿着部７０の内径を５Ｃ−ＦＶ同軸ケーブルに合わせて形成することにより、線径の異なる５Ｃ−２Ｖ同軸ケーブルについても所要の抜け止め力を満足する信頼性の高い接続が可能となる。
【００４３】
【発明の効果】
以上詳述したように、請求項１の発明によれば、予め同軸ケーブルの先端にケース接続用のコネクタを装着する必要がなく、同軸ケーブル自体を挿入するだけで良いから、同軸ケーブルのケースへの接続作業が簡易になると共に、抜け止め具に設けた爪部の抜け止め作用によって信頼性の高い同軸ケーブルとの接続が可能になる。
【００４４】
請求項２の発明によれば、請求項１の効果に加え、ケース外側に挿着部が突出しないので、挿着のための作業空間も広く確保できるから、狭い場所での接続作業が容易になる。
【００４５】
請求項３の発明によれば、同軸ケーブルの接続作業が簡易になると共に、信頼性の高い同軸ケーブルとの接続が可能になる。さらに、挿着部をケースと別体に設けたので、自由な取付取外しのできる多数の挿着部を予め配置したケースを一つ設計するだけで、入出力信号数の異なる複数種類の電子機器に対し、最適な挿着部数を備えた、不要な未使用挿着部が無いデザイン性の優れたケースを簡単に製作可能となり、各別のケース設計の手間が省け、製造コストを削減することができる。
【００４６】
請求項４の発明によれば、請求項３の効果に加えて、防水座と防水キャップとにより挿着部を覆うと同時に挿着部周辺のケースや同軸ケーブルとの隙間を埋めたので、挿着部内やコネクタ本体内への雨水等の浸入を防ぐことができ、ケースの防雨、防滴構造の実現が可能となる。
【００４７】
請求項５の発明によれば、請求項１乃至４の効果に加えて、基材色が剥き出しの導電性ケース表面や角部のバリ取り跡等を、自由な意匠を施した樹脂製箱体で覆い隠すことが可能となるから、電子機器ケースに施すデザインの自由度を高めることができる。又、樹脂製箱体を雨水等の浸入を防ぐ形状に形成すれば、電子機器ケースの耐候性がさらに向上する。
【００４８】
請求項１、３、６又は７の発明によれば、抜け止め具の爪部を予め同軸ケーブル挿入方向に折り曲げ形成したので、爪部による同軸ケーブルの挿入阻止力を弱めると共に、爪部を挿着案内部材として機能させることができ、同軸ケーブルの接続作業をより容易に行うことができる。また、爪部の先端部を付け根部よりも内側へ向くように形成したので、同軸ケーブルに対する爪部先端の食い込み角を大きくすることができ、より強い抜け止め力を得られると共に、１つの同軸ケーブルコネクタにより、線径の異なる複数種類の同軸ケーブルに対しても信頼性の高い接続が可能となる。
【００４９】
請求項６の発明によれば、同軸ケーブル連結具への同軸ケーブルの接続作業が簡易になると共に、信頼性の高い同軸ケーブルの連結接続が可能となる。
【００５０】
請求項７の発明によれば、同軸ケーブルコネクタへの同軸ケーブルの接続作業が簡易になると共に、信頼性の高い同軸ケーブルとの接続が可能となる。
【図面の簡単な説明】
【図１】本発明に係る電子機器ケースの第１実施形態を示し、（ａ）は要部の分解断面図、（ｂ）は同軸ケーブル挿着時の部分断面図、（ｃ）は抜け止め具の正面図である。
【図２】本発明に係る電子機器ケースの第２実施形態を示し、（ａ）は同軸ケーブルを挿着した時の要部断面図、（ｂ）は実施例の外観斜視図である。
【図３】本発明に係る電子機器ケースの第３実施形態を示し、同軸ケーブルを挿着した時の要部断面図である。
【図４】本発明に係る電子機器ケースの第４実施形態を示し、同軸ケーブルを挿着した時の要部断面図である。
【図５】本発明に係る電子機器ケースの第５実施形態を示し、（ａ）はその外観斜視図、（ｂ）は実施例の外観斜視図である。
【図６】本発明に係る同軸ケーブル連結具の実施形態を示し、（ａ）は挿着時の部分断面図、（ｂ）は芯線コネクタと止め輪の断面図である。
【図７】本発明に係る同軸ケーブルコネクタの実施形態を示し、（ａ）は要部の分解断面図、（ｂ）は同軸ケーブル挿着時の部分断面図、（ｃ）は抜け止め具の正面図、（ｄ）は抜け止め具のＡ−Ａ線要部拡大端面図である。
【符号の説明】
１０，２０，３０，４０，６０，７０・・挿着部、１１，２１，３１，４１，６１，７１・・コネクタ本体、１２，１２０・・抜け止め具、１２ａ，１２０ａ・・枠体、１２ｂ，１２０ｂ・・爪部、１３・・固定具、５０・・樹脂製箱体、５１・・防水性樹脂製箱体、６５・・連結具本体、６６・・芯線コネクタ、８０・・同軸ケーブル、８１・・中心導体、８２・・内部絶縁体、８３・・外部導体、８４・・保護被覆、９１・・防水座９２・・防水キャップ、９２ａ・・係止部、１００，２００，３００，４００，５００・・ケース、６００・・連結具、７００・・同軸ケーブルコネクタ。
【図１】
0004704636.tif 000002
【図２】
0004704636.tif 000003
【図３】
0004704636.tif 000004
【図４】
0004704636.tif 000005
【図５】
0004704636.tif 000006
【図６】
0004704636.tif 000007
【図７】
0004704636.tif 000008